(57)【要約】【課題】バランスウエイトをコンバインの効果的な位置に配備することにより、軽いウエイトでもって十分なバランス効果を保持し、コンバインの走行と作業性能を向上させるようにする。【解決手段】本発明は、車台の前方に刈取部をその後方に脱穀部を搭載し、脱穀部の後部には脱穀後の排ワラを切断処理する排ワラカッタ−を装備してあるコンバインにおいて、前記排ワラカッタ−の後方にはバランスウエイトを内臓した箱体を設置するようにしてあることを特徴とする。また、前記箱体は、排ワラカッタ−のカバ−枠体に対し着脱自在に装着してあることを特徴とする。【選択図】        図１
2004180630.tif 000002
【特許請求の範囲】
【請求項１】
車台の前方に刈取部をその後方に脱穀部を搭載し、脱穀部の後部には脱穀後の排ワラを切断処理する排ワラカッタ−を装備してあるコンバインにおいて、前記排ワラカッタ−の後方にはバランスウエイトを内臓した箱体を設置するようにしてあることを特徴とするコンバイン。
【請求項２】
前記箱体は、排ワラカッタ−のカバ−枠体に対し着脱自在に装着してあることを特徴とする請求項１記載のコンバイン。
【発明の詳細な説明】
【０００１】
【発明の属する技術分野】
本発明は、圃場に立毛する穀稈を刈り取って脱穀するコンバインに関し、農業機械の技術分野に属する。
【０００２】
【従来の技術】
従来、コンバインの前後のバランスを保持する装置として、車台上に搭載した脱穀部内の揺動選別装置の下側で車台の後端部にバランスウエイトを装着した構成のものがある（例えば、特許文献１参照）。
【０００３】
【特許文献１】
特開平２００１−１９０１３４号公報
【０００４】
【発明が解決しようとする課題】
従来のものでは、バランスウエイトが比較的低位の対地高さにあるため、可成り大きな重量物によらなければ、十分なバランス効果を発揮し得ない問題があった。
【０００５】
この発明は、バランスウエイトを効果的な位置に配設することにより、軽いウエイトでもって十分なバランス効果を保持することにある。
【０００６】
【課題を解決するための手段】
本発明は、上述した課題を解決するために、次の如き技術手段を講じた。すなわち、請求項１に記載の本発明は、車台の前方に刈取部をその後方に脱穀部を搭載し、脱穀部の後部には脱穀後の排ワラを切断処理する排ワラカッタ−を装備してあるコンバインにおいて、前記排ワラカッタ−の後方にはバランスウエイトを内臓した箱体を設置するようにしてあることを特徴とする。
【０００７】
脱穀部の前側には２条刈用刈取部を設置する場合と３条刈用刈取部を設置する場合とがある。３条刈用刈取部を設置する場合には、当然、２条刈用刈取部と比較して重量が重くなるため、機体の重心は前側寄りとなる。この時には、箱体内に内臓したバランスウエイトを排ワラカッタ−の後部位置にセットする。すると、機体の前側が重くなった分、機体後部側にもそれに見合う重量がかかることになるので、機体前後のバランスが良好に保持される。
【０００８】
かかるバランスウエイトは、対地高さが比較的高位にある排ワラカッタ−の後部位置に設定するため、軽いウエイトであっても機体前後のバランス効果を十分に発揮することができる。
請求項２に記載の本発明は、請求項１において、前記箱体は、排ワラカッタ−のカバ−枠体に対し着脱自在に装着してあることを特徴とする。
【０００９】
刈取部が２条刈用である場合には、バランスウエイトは不要のため、ウエイト内臓の箱体を排ワラカッタ−後部から取り外す。また、刈取部が３条刈用であっても、排ワラカッタ−の上部或は後部に排ワラノッタ−をセットする場合には、この排ワラノッタ−がバランスウエイトの役目を果たすことになるため、箱体をカッタ−後部から取り外して対処する。
【００１０】
【発明の効果】
従って、請求項１に記載の本発明によれば、バランスウエイトの設定位置が対地高さ高位の排ワラカッタ−後部に位置するため、比較的軽いウエイトであっても機体前後のバランス効果を十分に発揮することができる。また、バランスウエイトは箱体に内臓するものであるため、外観上美観を保持することができる。
【００１１】
請求項２に記載の本発明によれば、ウエイト内臓の箱体は、排ワラカッタ−の後部に着脱自在に装着するものであるから、前記請求項１の発明による効果を奏するものでありながら、狭い空間内での作業を要しないため、その着脱作業を簡単、容易に行うことができる。
【００１２】
【発明の実施の形態】
以下、本発明の実施例を図面に基づいて具体的に説明する。
まず、図１〜図２に示すコンバインの構成について述べる。
走行クロ−ラ１を具備する車台２上には、前部に昇降可能な刈取部３を、後部にフイ−ドチエン４を具備する脱穀部５を搭載している。刈取部３の横側部には操作ボックス６や運転席７等からなる運転部が設置され、その後方には前記脱穀部５の横側部においてグレンタンク８が装備されている。また、脱穀部５の後部には排ワラ搬送装置９によって後方に搬送される脱穀後の排ワラを受け入れて切断処理する排ワラカッタ−１０を装備している。
【００１３】
このコンバインの実施例では、脱穀部５の前方に３条列の穀稈を引き起しながら刈取搬送する３条刈用刈取部３を装備した構成を示している。従って、２条刈用刈取部を装備した場合にのみコンバイン全体の前後バランスが保持される構成であるため、前記実施例のように３条刈用刈取部３を装備する場合には機体重心が前側寄りとなり、この前後バランスを修正するためには、機体後部側適所にバランスウエイトをセットする必要がある。そこで、本発明の実施例では、前記排ワラカッタ−１０の後部側にあって、該カッタ−のカバ−枠体１１にバランスウエイト１２を着脱自在に装着する構成としている。このバランスウエイト１２は側断面コの字型に構成された箱体１３内に装填し溶接手段等によって一体的に固着するようにしている。そして、この箱体１３の上端側はこの両側面より突設する係合フック１４を前記カバ−枠体１１から突設する係止ピン１５に引っ掛け状態に係合係止すると共に、箱体１３の下端側はこれより突設する取付ステ−１６の取付孔１７とカバ−枠体１１側に設けた取付孔１８とにボルトなどの締付固定具１９をねじ込んで締付固定する構成としている。
【００１４】
図４〜図６に示すコンバインのグレンタンクの構成について説明する。
図示のグレンタンク８は、主として上部タンクＧａと下部タンクＧｂとからなり、上部タンクＧａと下部タンクＧｂと間に介在させる複数の中間増量タンクＧ１，Ｇ２…を順次重箱状に積み重ねることによってタンク容量を大きくし穀粒量増大化を図るようにしている。上部タンクＧａの下端部及び各中間増量タンクＧ１，Ｇ２それぞれの下端部を漏斗状の傾斜面２０に形成すると共に、この漏斗状傾斜面２０上に乗る穀粒が速やかに流下し得る程度の傾斜角（安息角）θをもたせた構成としている。また、各中間増量タンクＧ１，Ｇ２の上端部及び下部タンクＧｂの上端部には、前記漏斗状傾斜面２０を受ける漏斗状受け面２１を設けた構成としている。従って、増量する場合には、各中間増量タンクを上方に積み重ねていくだけでよく、それぞれの接合部が漏斗状のため、位置づれすることがなく、確実に連結することができる。
【００１５】
以上のように中間増量タンクＧ１，Ｇ２…はスペ−サ−として上部タンクＧａと下部タンクＧｂとの間に介在させるが、これら増量タンクの介在個数が増す毎にタンク全体の容量アップがなされ、また、この介在個数が増加する毎に上部タンクＧａは順次上方に高く位置することになる。従って、この場合には、排出口２２を上部タンクＧａに臨ませた１番揚穀装置２３を上下方向に伸縮移動自在に構成する。１番揚穀装置２３は揚穀筒２３ａと揚穀螺旋２３ｂとからなり、上下に伸縮移動する構成としている。
【００１６】
下部タンクＧｂの底部には水平方向で前後方向に穀粒を搬送する排出スクリュ−コンベア２４を架設してあり、そして、この排出スクリュ−コンベア２４の終端には穀粒を縦方向に揚上搬送する揚上オ−ガ２５と、該揚上オ−ガ２５に対し左右旋回自在でかつ上下昇降自在な排出オ−ガ２６を連設した構成としている。
【００１７】
なお、前記グレンタンク８は、板金加工であってよく、また、合成樹脂によって成形加工するものであってもよい。
図７，図８及び図９に示す実施例について説明する。
運転席７の前側に位置する操作ボックス６上には、前後方向の操作で刈取部３を昇降制御し、左右方向の操作で機体を左右に操向制御する操作レバ−（パワステレバ−）２７を配設している。操作ボックス６の前側フレ−ム２８とこの前側フレ−ム２８の前側に位置して着脱自在に取り付けられたフロントカバ−２９との間の空間部３０内には、前記パワステレバ−２７の操作により刈取部の昇降制御及び機体左右の操向制御を司るパワステリリ−フバルブ３１や油圧ホ−ス３２の一部を内装配備した構成としている。従来は、前側フレ−ムの後方にパワステリリ−フバルブを配置していた為、圧力調整や整備等のメンテナンスがやりづらいものであったが、パワステリリ−フバルブを上記のように前側フレ−ムの前側に配備したので、周辺に障害となるものがなく、フロントカバ−２９を取り外すだけでメンテナンスが容易にできるようになった。なお、前記空間部３０内は熱がこもり高温となるので、フロントカバ−２９にスリット３３を設けることによって放熱することができる。
【図面の簡単な説明】
【図１】コンバインの側面図
【図２】同上平面図
【図３】同上要部の斜視図
【図４】コンバイン用グレンタンクの側面図
【図５】同上グレンタンクの切断正面図
【図６】同上要部の斜視図
【図７】コンバインの斜視図
【図８】同上要部の側断面図
【図９】同上要部の斜視図
【符号の説明】
１      走行クロ−ラ                ２      車台
３      刈取部                      ４      フイ−ドチエン
５      脱穀部                      ６      操作ボックス
７      運転席                      ８      グレンタンク
９      排ワラ搬送装置            １０      排ワラカッタ−
１１      カバ−枠体                １２      バランスウエイト
１３      箱体                      １４      係合フック
１５      係止ピン                  １６      取付ステ−
１７      取付孔                    １８      取付孔
１９      締付固定具
１８      ノブボルト                １９      排出スクリュ−コンベア
２０      揚上オ−ガ                ２１      排出オ−ガ
【図１】
2004180630.tif 000003
【図２】
2004180630.tif 000004
【図３】
2004180630.tif 000005
【図４】
2004180630.tif 000006
【図５】
2004180630.tif 000007
【図６】
2004180630.tif 000008
【図７】
2004180630.tif 000009
【図８】
2004180630.tif 000010
【図９】
2004180630.tif 000011